(57)【要約】      （修正有）【課題】改良された変形可能な眼内レンズ挿入システムを提供すること。【解決手段】変形可能な眼内レンズ挿入システムは、レンズ注入装置２１２と、レンズカートリッジ３８と、それらの間の回転連結装置とを備える。本発明は、変形可能な眼内レンズ挿入システム、特にパッケージング量を減らすのに用いられるレンズカートリッジ３８を予め装填し、変形可能な眼内レンズのパッケージング及び輸送の間の変形可能な眼内レンズの損傷を防止し、予め装填されたレンズカートリッジ３８が一体として加圧滅菌されるのを可能にし、エンドユーザーが変形可能な眼内レンズをレンズカートリッジ３８に装填する工程を省き、この工程の間に生じる可能性のある損傷を防止する。【選択図】図３５
2006341110.tif 000002
【特許請求の範囲】
【請求項１】
変形可能な眼内レンズを眼中に挿入するための変形可能な眼内レンズ挿入システムであって、
変形可能な眼内レンズを収容するためのレンズカートリッジであって、ノズル部に連結するレンズ受容部を含む該レンズカートリッジと；
レンズカートリッジレシーバを有するレンズ注入装置と；
上記レンズカートリッジを上記レンズ注入装置の上記レンズカートリッジレシーバ内に挿入する際に、上記レンズカートリッジを上記レンズ注入装置の上記レンズカートリッジレシーバに連結し、次いで上記レンズカートリッジを上記注入装置に対して回転させるための回転連結装置とを含む、変形可能な眼内レンズ挿入システム。
【請求項２】
上記レンズ注入装置が胴部を含み、該胴部がその一端に配置された固定部を有する請求項１に記載の装置。
【請求項３】
上記回転連結装置が、上記固定部内の横細溝に至る縦細溝と、該縦細溝及び該横細溝と協働して上記レンズカートリッジを上記レンズ注入装置のレンズカートリッジレシーバ内に固定するためのタブを含む上記レンズカートリッジとにより構成される請求項２に記載のシステム。
【請求項４】
上記横細溝が、第２横細溝部に至る第１横細溝部により画定され、該第２横細溝部が該第１横細溝部より幅が広く、対向する一対の固定タブを上記横細溝内に提供し、一旦適所に固定された上記レンズカートリッジが上記レンズ注入装置に対して意図せぬ回転をするのを防止する請求項３に記載のシステム。
【請求項５】
上記固定部が上記胴部と別の構成部品である請求項２に記載のシステム。
【請求項６】
上記固定部が円錐部に連結した挿入部を含み、該挿入部が上記胴部の一端内に受容される請求項５に記載のシステム。
【請求項７】
挿入部が、上記胴部の内側の縦細溝に受容される縦リブを備え、上記固定部と上記胴部との相対的な回転を防止する請求項５に記載のシステム。
【請求項８】
上記固定装置が、上記固定部の上記円錐部にある横細溝に至る縦細溝と、該縦細及び該横細溝と協働してレンズカートリッジを上記レンズ注入装置の上記レンズカートリッジレシーバ内に固定するためのタブを含む上記レンズカートリッジとにより定義される請求項６に記載のシステム。
【請求項９】
上記レンズ注入装置が胴部及び該胴部内に移動可能に設置されたプランジャから構成され、上記固定部がプランジャをスライド可能に支持するためのガイドを備えた通路を有する請求項５に記載のシステム。
【請求項１０】
上記固定装置が、上記レンズカートリッジと上記レンズ注入装置とを差込型で固定する装置により構成される請求項１に記載のシステム。
【請求項１１】
上記差込型固定装置が、上記レンズカートリッジ上のタブと協働する、上記レンズ注入装置の上記レシーバ内の細溝により構成される請求項１０に記載のシステム。
【請求項１２】
上記レンズカートリッジが、上記固定装置の一部分を構成するタブを備える請求項１に記載のシステム。
【請求項１３】
上記タブが上記レンズカートリッジの上記レンズ保持部から延びる請求項１２に記載のシステム。
【請求項１４】
上記タブが上記レンズ保持部から垂直に延びる請求項１３に記載のシステム
【請求項１５】
上記レンズカートリッジが、上記レンズカートリッジをレンズカートリッジレシーバ内に案内しかつ中央に配置するための少なくとも一つのガイドを含む請求項１２に記載のシステム。
【請求項１６】
上記レンズカートリッジが、固定した寸法及び形の断面を有し且つ眼内レンズを折り曲げるための下方に先細の通路に至るレンズ受容通路を備える請求項１２に記載のシステム。
【請求項１７】
上記回転連結装置が、上記レンズカートリッジの上記レンズ注入装置に対する相対的な回転を積極的に固定するための手段を含む請求項１に記載のシステム。
【請求項１８】
上記固定手段が、上記レンズカートリッジが一旦完全に固定部に位置づけられた後に上記レンズ注入装置から離脱することを可能にする離脱可能な手段である請求項１７に記載のシステム
【請求項１９】
変形可能な眼内レンズを眼中に挿入するための、レンズカートリッジを備えたレンズ注入装置であって、
レンズカートリッジレシーバを有する胴部と、
該胴部内に移動可能に配置されたプランジャと、
レンズカートリッジを備えた回転連結装置であって、該レンズカートリッジを該胴部の該レンズカートリッジレシーバ内で回転させることにより該レンズカートリッジレシーバに連結する構造を有する該回転連結装置とを備えるレンズ注入装置。
【請求項２０】
上記固定装置の構造が、上記胴部の固定部に備えられ且つレンズカートリッジから延びるタブと協働する細溝によって定義され、該細溝は上記レンズカートリッジが上記レンズ注入装置の上記レシーバ内で縦方向に移動し次いで完全に固定する位置まで回転することを可能にするように構成されている請求項１９に記載のレンズ注入装置。
【請求項２１】
眼内レンズを装填したレンズカートリッジをレンズカートリッジレシーバを有するレンズ注入装置に連結する方法であって、
レンズカートリッジを、レンズ注入装置のレンズカートリッジレシーバ内に入れる工程
と、
レンズカートリッジを固定位置まで回転しレンズカートリッジがレンズ注入装置の縦方向にレンズ注入装置に対して移動することを防止する工程とを含む方法。
【請求項２２】
レンズカートリッジをレンズ注入装置のレンズカートリッジレシーバ内に入れる上記工程は、レンズカートリッジを固定位置まで回転する前に、レンズカートリッジをレンズ注入装置のレンズカートリッジレシーバ内でレンズ注入装置の縦方向に移動することを含む請求項２１に記載の方法。
【請求項２３】
レンズカートリッジを完全に固定位置まで回転したときに、レンズカートリッジが積極的にレンズ注入装置を固定し、レンズカートリッジとレンズ注入装置の意図しない相対的移動を防止する請求項２１に記載の方法。
【発明の詳細な説明】
【技術分野】
【０００１】
（関連出願）
本発明は、「使い捨て眼内レンズ挿入システム」と題された１９９４年１１月１８日出願の米国特許出願第０８／３４５，３６０号の一部継続出願であり、該出願は、
（１）「眼内レンズ挿入システム」と題された１９９４年５月１０日出願の米国特許出願第０８／２４０，５２０号と、
（２）「変形可能な眼内レンズ挿入システム」と題された１９９４年４月１日出願の米国特許出願第０８／２２１，０１３号と、
（３）「眼内レンズ注入システム」と題された１９９４年４月１日出願の米国特許出願第０８／２２０，９９９号と、
（４）「変形可能な眼内レンズカートリッジ」と題された１９９４年２月１７日出願の米国特許出願第０８／１９７，６０４号と、
（５）「蝶番のない眼内レンズマイクロカートリッジ」と題された１９９４年２月１５日出願の米国特許出願第０８／１９６，８５５号と、
（６）「眼内レンズ移植方法」と題された１９９４年２月１４日出願の米国特許出願第０８／１９５，７１７号と、
の一部継続出願であり、このうち（１）は、「眼内レンズ挿入システム」と題され現在放棄されている１９９２年９月３０日出願の米国特許出願第０７／９５３／２５１号の継続出願であり、（２）−（６）は「眼内レンズ挿入システム」と題され現在放棄されている１９９２年９月３０日出願の米国特許出願第０７／９５３／２５１号の一部継続出願である。
上で引用した米国特許出願の全てを援用して本文の記載の一部とする。
【０００２】
本発明はレンズ挿入装置及びレンズカートリッジを含む変形可能な眼内レンズ挿入システムであって、変形可能な眼内レンズをレンズカートリッジに装填した後、レンズ注入装置及びレンズカートリッジを互いに連結し固定することのできる変形可能な眼内レンズ挿入システムに関する。さらに、本発明は一つ又はそれ以上の使い捨ての構成部品を有する変形可能な眼内レンズ挿入システム、特に、使い捨てのレンズ注入装置及び使い捨てのレンズカートリッジを含む２つの別々の主構成部品を含む変形可能な眼内レンズ挿入システムに関する。
【背景技術】
【０００３】
近年カリフォルニア州のＳＴＡＡＲサージカル・カンパニーにより販売され市場に出されている変形可能な眼内レンズ挿入システムは、変形可能な眼内レンズ移植の分野で幅広く容認されている。現在のシステムは装置を加圧滅菌し何度も再利用できるようにチタン製の注入器を利用している。チタン注入器の構成部品は棒材から現仕様に従う高い精度で機械加工され、次いで構成部品は最終的な注入器装置に組立てられる。材料のコスト、及び機械製造と組立に関わる労働のコストは、より安価な代用物を探す本質的な要因をもたらしている。さらに、手術の合間の注入器装置の洗浄及び加圧滅菌の工程は連続する手術スケジュールを持つ多忙な外科医にとって時間的な負担及び妨害である。加えて、注入器を適切に加圧滅菌して完全な洗浄及び滅菌を確実にし、眼の感染症又は他の感染症を引き起こす病気の繁殖を予防し、体液の伝達を予防し、それによって起こる外科医に対する責任問題を防止しなければならない。これら及び他の動機により本発明が開発されるに至った。
【発明の開示】
【発明が解決しようとする課題】
【０００４】
本発明の第１の目的は、改良された変形可能な眼内レンズ挿入システムを提供することにある。
【０００５】
本発明の第２の目的は、互いに連結され固定されることが可能なレンズ注入装置及びレンズカートリッジを含む変形可能な眼内レンズ挿入システムを提供することにある。
【０００６】
本発明の第３の目的は、回転連結により互いに連結することのできるレンズ注入装置及びレンズカートリッジを含む変形可能な眼内レンズ挿入システムを提供することにある。
【０００７】
本発明の第４の目的は、回転連結により互いに連結し且つ固定することのできるレンズ注入装置及びレンズカートリッジを含む変形可能な眼内レンズ挿入システムを提供することにある。
【０００８】
本発明の第５の目的は、一以上の使い捨ての構成部品を含む変形可能な眼内レンズ挿入システムを提供することにある。
【０００９】
本発明の第６の目的は、使い捨てのレンズ注入装置及び使い捨てのレンズカートリッジを含む完全に使い捨ての変形可能な眼内レンズ挿入システムを提供することにある。
【００１０】
本発明の第７の目的は、変形可能な眼内レンズ挿入システムのための、使い捨てレンズ注入装置を提供することにある。
【００１１】
本発明の第８の目的は、変形可能な眼内レンズ挿入システムのための使い捨てのレンズカートリッジを提供することにある。
【００１２】
本発明の第９の目的は、変形可能な眼内レンズがレンズカートリッジを通過する際にさらにそれを折り曲げるための、下方に向かって先細になった通路を有する使い捨てカートリッジを提供することにある。
【００１３】
本発明の第１０の目的は、変形可能な眼内レンズが予め装填されたレンズカートリッジを提供することにある。
【００１４】
本発明の第１１の目的は、差込型結合により互いに連結され固定されることが可能なレンズ注入装置及びレンズカートリッジを含む変形可能な眼内レンズ挿入システムを提供することにある。
【００１５】
本発明の第１２の目的は、レンズカートリッジの突起を収容するための細溝を備え、その細溝がレンズカートリッジとレンズ注入装置を互いに連結及び固定させる構造である、レンズ注入装置を含む変形可能な眼内レンズ挿入システムを提供することにある。
【００１６】
本発明の第１３の目的は、レンズカートリッジとレンズ注入装置を互いに連結及び固定するレンズカートリッジの突起を収容するための、横方向の細溝に至る縦方向の細溝を備えたレンズ注入装置を含む変形可能な眼内レンズ挿入システムを提供することにある。
【００１７】
本発明の第１４の目的は、貯蔵及び輸送のために予め装填された変形可能な眼内レンズを有する変形可能な眼内レンズ挿入システムを提供することにある。
【００１８】
本発明の第１５の目的は、レンズ注入装置と、貯蔵及び輸送のために予め装填された変形可能な眼内レンズを備えたレンズカートリッジとを含む眼内レンズ挿入システムを提供することにある。
【課題を解決するための手段】
【００１９】
これら及び他の目的は、本発明の様々な具体例によって達成することができる。具体的には、本発明は以下の主な特徴に向けられている。
１）レンズカートリッジをレンズ注入装置に連結するためのレンズカートリッジとレンズ注入装置間の回転式結合、
２）レンズカートリッジをレンズ注入装置に離脱可能に連結して、これらの構成部品を組立て及び分解可能にするための、レンズカートリッジとレンズ注入装置間の回転式結合、
３）レンズカートリッジをレンズ注入装置に永続的に連結して、これらの構成部品が一旦組立て後に分解されることを防止する、レンズカートリッジとレンズ注入装置間の回転式結合、
４）レンズカートリッジをレンズ注入装置に離脱可能に連結し且つ離脱可能に固定してこれらの構成部品を組立て及び分解することを可能にしつつも、意図しない分解を防ぐためにこれらの構成部品を積極的に互いに固定するレンズカートリッジとレンズ注入装置間の回転式結合、
５）変形可能な眼内レンズ挿入システムの一以上の構成部品は使い捨てである。本発明に従う全ての利点を提供するために変形可能な眼内レンズ自体を除くシステム全体が使い捨てであることが好ましく、
６）変形可能な眼内レンズを変形可能な眼内レンズ挿入システムに予め装填すること、及び
７）レンズカートリッジに変形可能な眼内レンズを予め装填すること。
【００２０】
回転式結合の特徴はレンズカートリッジとレンズ注入装置間の迅速で確実な連結を可能にする。レンズカートリッジがレンズ注入装置に連結された際、手術中装置の操作特性を維持するため、レンズカートリッジとレンズ注入装置との相対的な移動、特にレンズ注入装置の縦及び横方向の移動が無いことが重要である。レンズカートリッジとレンズ注入装置とのいずれの分解又は緩みも、レンズの損傷を起こす変形可能な眼内レンズとプランジャ先端の位置ずれを引き起こすことになり、またさらに悪いことには眼に損傷を与える可能性がある。
【００２１】
回転式結合は、ねじ、固定タブ、締まりバネ又はスナップ嵌め連結、及び他の多くの回転機械式結合型を含む多種類の設計によりもたらされることができる。一つの好ましい具体例は差込型連結を利用しており、差込型連結は、レンズカートリッジとレンズ注入装置が相対して縦に移動し次に横に移動することを含む。差込型連結の一つの型は、レンズカートリッジ上のタブ又は突起と協働させるための横細溝に至る縦細溝をレンズ注入装置の一端に設けることで達成可能である。
【００２２】
細溝型結合の好ましい具体例は、レンズカートリッジのタブを積極的に把持又は固定（ロック）する手段を横細溝に設けることを含む。例えば固定タブ（ロックタブ）、締まりバネ連結、スナップ嵌め連結を、横細溝に、横細溝中に、又は横細溝に隣接して配置された機構とレンズカートリッジのタブにもたらすことができる。一つの好ましい具体例はレンズホルダーのタブの幅よりも僅かに狭い寸法の幅の第１横細溝部を有する横細溝を備え、レンズカートリッジのタブが第１横細溝を通って回転する際にある程度の締まり及び抵抗をもたらす。第１横細溝部は第１横細溝部の幅より僅かに広い幅寸法である第２横細溝部まで延びる。この装置は横細溝内に一対の対向する固定（ロック）用タブを提供し、該固定タブは、レンズカートリッジのタブが固定される位置まで完全に回転されたとき、タブスナップが第２横細溝部へ嵌まりレンズ注入装置からレンズカートリッジが意図せず離脱するのを防止するように構成されている。詳細には、レンズホルダーのタブの後縁が横細溝内の固定タブとの干渉により固定される。
【００２３】
この装置は、レンズカートリッジがレンズ注入装置に永続的に連結するように設計できる。その設計は、スナップ嵌め連結を、分解がレンズカートリッジ及びレンズ注入装置の少なくとも一方が破壊又は損傷する場合にのみ起こりうるように、それらを本質的に永続して連結させるように係合することである。しかしこの装置は、所定のレベルの力をそれらの部品に加えた場合に重大な損傷や摩滅を全く起さず分解するように係合するためのスナップ嵌め連結を設計することにより、それらの部品の分解又は分解を可能にするのに特に適する。
【００２４】
本発明による変形可能な眼内レンズ挿入システムの構成部品は実際の利用のために、滅菌処理、特に加圧滅菌に耐えなくてはならない。好ましくは、本発明による眼内レンズ挿入しシステムの構成部品はプラスティック、最も好ましくは、従来の加圧装置で高温及び高圧に耐えうるポリスルホン、ポリカーボネート、ナイロン-６６、テフロン（登録商標）及びＫＹＮＡＲのような加圧滅菌可能なプラスティック（すなわち、セ氏約１２１度を超える融点を有するプラスティック）より製造される。さらに、プラスティックの使用は、射出成形を可能にし、且つチタン又はステンレス鋼材の注入器に比べて組立てコストを著しく削減して、迅速な組立を可能にする。
【００２５】
使い捨ての挿入システムの具体例はレンズ注入装置及びレンズカートリッジを含む２つの別々の主構成部を含む。レンズ注入装置は、折り曲げられた変形可能な眼内レンズを収容するレンズカートリッジを収容するための、レンズカートリッジレシーバを備えた胴部を含む。レンズ注入装置は好ましくは円筒状胴部の一端に配置されたレンズカートリッジレシーバ及び、反対の端に接近可能な移動可能なプランジャを有する円筒状胴部を含む。特に、移動可能なプランジャが取り付けられる端部は移動可能なプランジャを収容するための通路を画定するためのガイドを備える。ガイドは、円筒状胴部の内部の一部として成形されることが好ましいが、しかしあるいは別体品として製造され、後にいくらか好適な方法で円筒状胴部内に組付けることもできる。
【００２６】
ガイドは好ましくは、移動可能なプランジャの円筒状胴部に対する縦方向の滑り移動を可能にする構造であるが、しかし移動可能なプランジャの円筒状胴部に対する回転移動を可能にする構造ではない。例えば、ガイドは相対的な回転を防止するキー溝を備える。一つの好ましい具体例において、ガイドを通る通路は、移動可能なプランジャに合致する断面形状を有して相対的な回転を防止する通路を有する。
【００２７】
レンズカートリッジレシーバは、変形可能な眼内レンズを含むレンズカートリッジを収容するために、好ましくは円筒形のレシーバ内の円筒状胴部の一方の端に設置される。さらに、円筒状胴部は、円筒状胴部の前端開口部内にレンズカートリッジを連結し且つ確実に維持するための回転連結を構成する手段を備える。回転連結に加えて締まりバネ型連結も、円筒状胴部の前端開口部とレンズカートリッジ間にもたらされることができ、レンズカートリッジの開口端部への挿入の際にこれらの部品を互いに確実に連結する。締まりバネ連結は、レンズカートリッジの一部又は全体の外寸を、レンズカートリッジレシーバの開口端部の内寸よりも僅かに大きくすることによりもたらされることができる。さらに、一方又は両方の構成部（レンズカートリッジ及びレンズカートリッジレシーバ）が、先細の外面又は互いに締め合う固定タブを有し、締まりバネ型又はスナップ嵌め型連結をもたらすことが可能である。
【００２８】
プランジャの一方の端は、変形可能な眼内レンズと接触し、変形可能な眼内レンズをレンズカートリッジから押出し、変形可能な眼内レンズを眼の中で操作するための操作先端を備える。プランジャの他方の端には、プランジャを作動させる手段を備える。プランジャの他方端は、ユーザーが十分な圧力をプランジャの端に加え、変形可能な眼内レンズをレンズカートリッジから制御しながら押出することを可能にする、回転が自由な指先把持装置を備える。例えば、指先把持装置は、把持を容易にする溝付きの外表面及び予め決められた寸法の貫通孔を備える。プランジャ部品の端部は、円筒状のタブ端を有する延長部を備え、タブ端は指先把持装置内の貫通孔に押し入れられ且つそこを通ることができる。タブ端は、また、プランジャ部品と把持装置にスナップ連結をもたらし、且つこれらの部品の互いに自由な回転を可能にする。
【００２９】
操作先端は、特別な方法で彫面され、変形可能な眼内レンズを強制的にレンズカートリッジのノズルから押出して眼内へ入れる工程で、変形可能な眼内レンズ特に後方触覚（ｔｒａｉｌｉｎｇ  ｈａｐｔｉｃ）を損傷することを防止する。
【００３０】
本発明は変形可能な眼内レンズを変形可能な挿入システム内に予め装填する概念を含む。具体的には、変形可能な眼内レンズの、好ましいであろう製造及び販売方法は貯蔵と輸送のために変形可能な眼内レンズをレンズ注入装置内に予め装填することである。例えば、変形可能な眼内レンズを製造した後、パッケージし顧客に輸送する前にレンズ注入装置又はレンズカートリッジ内（すなわち変形可能な眼内レンズ挿入システム内）に入れることができる。この方法は変形可能な眼内レンズとレンズカートリッジ及び／又はレンズ注入装置の別々のパッケージを必要としないため大量のパッケージングを削減する。さらに、レンズカートリッジ及び／又はレンズ注入装置はパッケージング、輸送及び他の操作過程で変形可能な眼内レンズを保護し、変形可能な眼内レンズを損傷する可能性のある、外科医によるレンズカートリッジ及び／又はレンズ注入装置への装填工程を省く。さらに、レンズを予め装填することで手術中の誤用をなくすことができる。
【００３１】
この方法は、レンズカートリッジ及び／又はレンズ注入装置と、予め装填された変形可能な眼内レンズとを一緒に、変形可能な眼内レンズの挿入前に加圧滅菌することを可能にする。
【実施例】
【００３２】
本発明に従う変形可能な眼内レンズ挿入システムという用語はレンズ注入装置とレンズカートリッジを含む２つの独立した主構成部品を定義するために使用されている。レンズ注入装置はレンズカートリッジを収容するためのレンズカートリッジレシーバを含み、レンズカートリッジは、変形可能な（折り曲げ可能な）眼内レンズを収容する構造である。変形可能な眼内レンズは第１にレンズカートリッジに装填され、次にレンズカートリッジはレンズ注入装置に装填されて、移動手術を行うために用意される変形可能な眼内レンズ挿入システムをもたらす。
【００３３】
本文における使い捨てという用語は、本発明に従う変形可能な眼内レンズ挿入システムの一以上の構成部品が、設計、構造、及び構成部品の材料が安価であるために使用後容易に廃棄できることを示す。使い捨ての構成部品の使用は、様々な好都合な要素、例えば、使い捨てのレンズカートリッジに変形可能な眼内レンズを予め装填すること、改良された操作特性、レンズ注入装置の重量の軽減、及び最も重要であることとして、患者を病気及び合併症の危険から守る高水準の無菌状態を保証することを提供する。
【００３４】
本発明に従う変形可能な眼内レンズ挿入システム１０の好ましい具体例は、図１に示されている。変形可能な眼内レンズ挿入システム１０は、２つの主構成部品を含み、それらは眼内レンズ注入装置１２及びレンズカートリッジアセンブリ１４を含む。
【００３５】
レンズ注入装置１２は、図２に示したように、その一方の端に設置されているレンズカートリッジレシーバ１８を有する円筒状胴部１６を含む。円筒状胴部１６は、他の好適な断面形を有することが可能であるが、円筒状に形成された胴部はレンズ注入装置１２の作製、組立て、及び利用に特に好適である。レンズカートリッジレシーバ１８は、レンズカートリッジアセンブリ１４を収容し、レンズカートリッジアセンブリはレンズカートリッジレシーバ１８に挿入される際に確実にレンズ注入装置１２に連結される。例えば、締まりバネ型の連結は、レンズカートリッジアセンブリの外側寸法の内の一つ以上の寸法を、レンズカートリッジレシーバ１８の内側寸法の内の一つ以上の寸法より僅かに大きくすることにより、レンズ注入装置１２とレンズカートリッジアセンブリ１４の間にもたらすことができる。あるいは、又はそれに加えて、はめ込み型の連結をレンズ注入装置１２とレンズカートリッジアセンブリ１４の間にもたらすことができる。さらに、レンズカートリッジをレンズカートリッジレシーバ１８へ挿入後離脱可能又は離脱不可能に、この二つの連結の型のいずれか一方又は両方を作製することができる。変形可能な眼内レンズ挿入システムの操作特性の価値を損ねうる、好ましくは、レンズ注入装置１２及びレンズカートリッジアセンブリ１４間のいかなる相対的な移動をも防止するため、レンズカートリッジアセンブリ１４がレンズカートリッジレシーバ１８内で回転できないようにレンズ注入装置１２及びレンズカートリッジアセンブリ１４が設計される。
【００３６】
円筒状胴部１６自体の設計は図３に示されている。円筒状胴部１６は、縦方向の折り曲げに対して構造的な強さを提供するために厚壁を有する胴部１６ａと、レンズカートリッジレシーバ１８を画定する薄壁を有する胴部ｂとを含む。胴部１６ａ及び胴部ｂ間の変遷部にある内部エッジ１８ａはレンズカートリッジアセンブリ１４がレンズカートリッジレシーバ１８に挿入される際の止め部を画定する。
【００３７】
レンズ注入装置１２はさらに、円筒状胴部１６内に配置された移動可能なプランジャ２０を含む。具体的には、移動可能なプランジャ２０は、円筒状胴部の縦方向（長さ方向）で前後に移動するために円筒状胴部内に移動可能に配置される。変形可能な眼内レンズ挿入システム１０において、図２、図５、及び図１０に示したように移動可能なプランジャ２０は２つの移動可能なプランジャ部２０ａ及び２０ｂを含む。移動可能なプランジャ部２０ａは、装填されたレンズカートリッジアセンブリ１４から変形可能な眼内レンズを押し出すために変形可能な眼内レンズと係合する操作先端２２を含む。２つの移動可能なプランジャ部２０ａ及び２０ｂは一体構造を有するか又は、何らかの好適な方法で互いに連結する２つの独立した部品として製造することができる。
【００３８】
移動可能なプランジャ２０の移動可能なプランジャ部２０ａの詳細な設計は図５から図９に示してあり、移動可能なプランジャ２０の移動可能なプランジャ部２０ｂの詳細な設計は図１０から図１３に示してある。
【００３９】
移動可能なプランジャ部２０ａは、移動可能なプランジャ部２０ｂのコネクター部２１ｂ（図１０）と連結するための、コネクター部２１ａ(図５）を含む。好ましくは、締まりバネ型連結及び／又ははめ込み型連結が組立てを容易にするためにコネクター部２１及び２１ｂによってもたらされる。具体例に示したように、キー溝型連結は、コネクター部２１ｂ（図１３）の平坦なキー表面２１ｂ（図６）と協働するコネクター部２１の平坦な表面２１ａ’（図６）によってもたらされる。キー溝型連結は、移動可能なプランジャ２０が組立てられた後の、移動可能なプランジャ部２０ａ及び２０ｂの相対的な回転を防止する。
【００４０】
操作先端２２の詳細な設計は図９に示されている。操作先端２２は変形可能な眼内レンズ挿入システムをレンズカートリッジから及び眼の中で操作するための複数の小面によって画定されている。具体的には、操作先端は湾曲した表面２２ａ、湾曲した表面２２ｂ、凹面形の表面２２ｃ（図５）、上部突起小面２２ｄ及び下部突起小面２２ｅを含む。
【００４１】
変形可能な眼内レンズ挿入システム１０の好ましい具体例において、移動可能なプランジャ２０は円筒状胴部１６内に滑ることができるように配置される。具体的には、プランジャガイド２４は、円筒状胴部内に配置され、該プランジャガイド２４は、移動可能なプランジャ２０を滑り可能に支持するために通路２６を備える。具体例に示したように、ガイド装置を提供するために、プランジャガイド２４の通路２６の内寸は、移動可能なプランジャ２０の外寸より僅かに大きい。さらに、通路２６の断面形状は、移動可能なプランジャ２０の断面形状と同一の形（すなわち互いが合致する形）に作製され、双方間の精密公差の嵌合を高めて滑りの正確さを向上することが望ましい。さらに好ましくは、プランジャガイド２４の通路２６と移動可能なプランジャ２０の断面形状がインターロックして、プランジャガイド２４に固定された円筒状胴部１６と移動可能なプランジャ２０の相対的回転を防止し、又、変形可能な眼内レンズ挿入システム１０の操作特性を向上させる。例えば、プランジャガイド２４の通路２６と移動可能なプランジャ２０の断面形を図４に示したように十字形にして、インターロック配置をもたらすことができる。
【００４２】
図２に示した具体例において、プランジャガイド２４は円筒状胴部１６の一部である。例えば、円筒状胴部１６は、プラスティックから射出成形して、プランジャガイド２４を一体装置として含ませることができる。あるいは、プランジャガイド２４を独立した部分として作製し、次いで円筒状胴部１６の内側に組立てることができる。さらに、具体例に示したように、プランジャガイド２４は円筒状胴部１６の一端に設けられる。しかし、プランジャガイド２４は円筒状胴部１６内の端部から離れた位置に配置することもできる。
【００４３】
移動可能なプランジャ２０は、操作先端２２と反対側の端に指先把持装置２８を備える。把持装置２８は自由に回転するように移動可能なプランジャ２０の端部に連結されることが好ましいが、しかしながら非回転型連結もまた利用することができる。
【００４４】
変形可能な眼内レンズ挿入システム１０の好ましい具体例において、把持装置２８は本質的に円筒形であり、円筒状胴部１６の外側の直径より僅かに大きい内側の直径を有し、移動可能なプランジャ２０が図１で右方向に移動する際、円筒状胴部１６の一端部が把持装置２８の内側に収容されることを可能にする。把持装置の外表面には、ユーザーの指先でのグリップ性（把持性）を増すために縦溝をつけることができる。
【００４５】
把持装置２８は通路３２を有する端部３０を備え、通路３２は移動可能なプランジャ２０の円筒状のタブ３５を有する突起３４を収容する。具体的には、円筒状のタブ３４は、端部３０中の通路３２より僅かに大きい直径の縁３５ｂを有する円錐状の先細の面３５ａ（図１１）を備え、通路３２との間にスナップ嵌め連結をもたらす。従って把持装置２８は、円筒状のタブを通路３２に押し通すことにより移動可能なプランジャ２０のに容易に組付けることができる。
【００４６】
把持装置２８の詳細な設計は図１４から図１６に示されている。図１４において、把持装置２８の端部３０内の通路３２は、円錐状の先細の面３２’を備え、移動可能なプランジャ２０の鉤状の端部３５が組立中、通路３２中に入り且つ通り抜けることを容易にする。図１５及び図１６に示したように、把持装置２８の外側は把持装置２８の外周に等しい間隔で配置された複数の縦方向のリブ３６を備えることができる。
【００４７】
レンズカートリッジアセンブリ１４の好ましい具体例は図１７から図２８に示してある。レンズカートリッジアセンブリ１４は、レンズカートリッジ３８及び筒部４０を含む、２つの独立した主構成部を含む。レンズカートリッジ３８は、図１８から図２２に示すように、通路４５を有する本体部４２及び通路４８を有するノズル部４４によって画成される。
【００４８】
本体部４２は、図２０に示すように、レンズ受け部５０及びレンズ変遷部５２によって定義される。レンズ受け部５０は一定の断面積と一定の形状の通路４５ａを有する（図２０及び図２１）。具体的には、レンズ受け部５０はレンズ受け部５０の長さ方向に形も寸法も変化しないＣ型断面の通路を有する。さらに、レンズ変遷部５２は、可変性の、すなわち下方に先細になった断面積の通路を有する。本体部を通る通路は長さ４４ａの開通路４５ａ及び閉通路４５ｂを含む（図２０及び図２２）。
【００４９】
詳細には、変遷部５２は、閉通路４５ｂの開始部の形状を画定するＣ型断面を有し、それは通路４５ａの横断面の形と合致するが、その形は、レンズ変遷部５２の長さ方向に沿ってＣ型（すなわち開通路のデザイン）からＤ型（すなわち閉通路のデザイン）、楕円型（すなわち閉通路のデザイン）へと変化する。
【００５０】
レンズ受け部５０及び、断面がＣ型の通路を有するレンズ変遷部５２の初頭部は、通路４５ａへの開口部５６の両側に位置する一対の把持縁突起５４を含む。把持縁突起５４は、折り曲げられた変形可能な眼内レンズがレンズ受け部５０に一旦挿入されるとレンズの外縁を制限する。
【００５１】
ノズル部４４は本体部４２の一端に設置される。好ましくは、本体部４２を含むレンズカートリッジ３８とノズル部４４は一体構造に成形されている。
【００５２】
通路４８を有するノズル部４４は楕円型の断面形状を有する。しかし、断面積は本体部４２からノズル部４４の端部へ下方に小さくなっている（先細形の通路４８を参照のこと）。
【００５３】
筒部４０の詳細な設計は図２４から図２９に示されている。筒部４０は本質的に円筒形である。具体的には、筒部４０の内径はレンズカートリッジ３８の円筒状の本体部の外径とほぼ等しい。レンズカートリッジアセンブリ１４は、レンズカートリッジ３８の本体部４２を、筒部４０の先端がレンズカートリッジ３８の縁５８（図１９）に接触するまで筒部４０に挿入することによって組立てられる。
【００５４】
筒部４０は、留め具６１を端部に有する片持ちばね６０を含む。片持ちばね６０は、筒部４０の壁内に一対の平行な細長い切り口６２をつけることにより形成される。さらに、片持ちばね６０は筒部４０の壁より厚く且つ筒部４０の外側に沿って延在し、図２５Ａに示すようにレンズカートリッジレシーバ１８内で溝６４ａと協働する突起６４を画定して、レンズカートリッジアセンブリ１４がレンズ注入装置１２内で回転するのを防止するキー溝構造を定める。
【００５５】
筒部４０は、筒部４０の内表面から本体部４２内の通路４５の上部へと延びるレンズガイド突起６６を備える。レンズガイド突起６６は一対の下向きに先細の溝６８、６８によって画定される。溝６８、６８（図２８及び図２９）は横並びに配置され中央突起７０を画定する。先細のレンズガイド面６６ａを有する下方向に先細の複数の溝６８も、先細のレンズガイド面６６ｂを有する中央突起７０も共に、レンズカートリッジ３８を通る開通路４５ａの断面積を小さくするように先細になっている。
【００５６】
筒部４０は、変形可能な眼内レンズを含むレンズカートリッジ３８をレンズ注入装置１２に挿入する前に、レンズ注入装置１２内に取付けられることが好ましい。つまり、組立の完了したレンズ注入装置１２は筒部４０を含む。筒部４０は、例えば粘着性の、及び／又は固定するタブを用いて永続的にレンズ注入装置１２へ組入れられることができ、又はレンズカートリッジアセンブリレシーバ１８内に、取り外し可能に設置することが可能である。この構造においては、筒部４０はレンズカートリッジ３８のレンズカートリッジレシーバとして機能する。
【００５７】
あるいはレンズカートリッジ３８は、筒部４０をレンズ注入装置１２へ取付ける前に、筒部４０に挿入されることができる。
【００５８】
レンズカートリッジ３８の外側の部分は、図３０に示すように、溝７２内に設置された一対の噛み合い傾斜型留め具７４及び７６を有する縦溝７２を備える。傾斜型留め具７４及び７６は、筒部４０の片持ちばね６０の留め具６１と協働し、レンズカートリッジ３８をレンズ注入装置１２内の２つの異なる位置に固定する。
【００５９】
レンズカートリッジ３８内のレンズガイド面の詳細な構造を、レンズカートリッジ３８を後ろから見た図３１に示す。
【００６０】
もう一つのレンズ注入装置１１０の具体例を図３２に示す。この具体例は、図に示すように、装置の操作及び使用を促進するための指先グリップ装置１２８ａ及び親指グリップ装置１２８ｂを備える。
【００６１】
本発明は、変形可能な眼内レンズを変形可能な眼内レンズ挿入システム又は変形可能な眼内レンズ挿入システムの一部（例えばレンズカートリッジ）に予め装填するという概念を含む。具体的には、変形可能な眼内レンズの好ましいであろう製造及び販売方法は貯蔵と輸送のために変形可能な眼内レンズを変形可能な眼内レンズ挿入システム内に予め装填することである。例えば、変形可能な眼内レンズを製造した後、パッケージング及び顧客への輸送の前にレンズ注入装置又はレンズカートリッジ内に（すなわち、変形可能な眼内レンズ挿入システム内に）入れておくことが可能である。この方法は、変形可能な眼内レンズとレンズカートリッジ及び／又はレンズ注入装置の別々のパッケージを必要としないことにより、大量のパッケージングを削減する。さらにレンズカートリッジ及び／又はレンズ注入装置は変形可能な眼内レンズを、パッケージング、輸送及び他の取扱い過程で保護し、変形可能な眼内レンズに損傷を与える可能性のある、レンズカートリッジ及び／又はレンズ注入装置への装填工程を省く。
【００６２】
この方法は、変形可能な眼内レンズの挿入前に、レンズカートリッジ及び／又はレンズ注入装置と予め装填された変形可能な眼内レンズとを、一緒に加圧滅菌することを可能にする。
【００６３】
（差込型挿入システム）
本発明に従うもう一つの変形可能な眼内レンズ挿入システム２１０の好ましい具体例を図３３に示す。変形可能な眼内レンズ挿入システム２１０はレンズ注入装置２１２及びレンズカートリッジアセンブリ２１４を含む２つの主構成部品を含む。
【００６４】
レンズ注入装置２１２は、図３６に示すようにその一方の端に配置されたレンズカートリッジレシーバ２１８を有する円筒状胴部２１６を含む。円筒状胴部２１６は他の好適な断面形を有することが可能であるが、しかし、円筒形の胴部はレンズ注入装置２１２の作製、組立て、及び利用のために特に好適である。レンズカートリッジレシーバ２１８はレンズカートリッジアセンブリ２１４を収容し、レンズカートリッジアセンブリ２１４は、レンズカートリッジレシーバ２１８に挿入され次いで回転されたとき確実にレンズ注入装置２１２に連結される。この特定の具体例の重要な特徴にはレンズカートリッジアセンブリ２１４とレンズ注入装置２１２とを固定（ロック）する装置が含まれ、その固定配置について以下に詳細に議論する。
【００６５】
レンズカートリッジアセンブリ２１４が一旦完全にレンズ注入装置２１２に挿入されると、レンズカートリッジアセンブリ２１４はそれ自体では、レンズカートリッジレシーバ２１８内で回転できず、変形可能な眼内レンズ挿入システム２１０の操作特性の価値を低める可能性のあるレンズ注入装置２１２とのいかなる相対的な動きも防止する。
【００６６】
円筒状胴部２１６の設計を図３６に示す。円筒状胴部２１６は、以下に詳細を記す装置の移動可能なプランジャ２２０を収容するためのガイド部２１６ａ以外は、均一な円形の断面形状及び長さ方向に渡って均一な壁厚を有する。
【００６７】
レンズ注入装置２１２はさらに、円筒状胴部２１６内に配置された移動可能なプランジャ２２０を含む。移動可能なプランジャ２２０は、変形可能な眼内レンズをレンズが装填されたレンズカートリッジアセンブリ２１４から押し出すために変形可能な眼内レンズと係合する操作先端２２２を含む。変形可能な眼内レンズ挿入システム２１０において、移動可能なプランジャ２２０は図３６に示すように２つの移動可能なプランジャ部２２０ａ及び２２０ｂを含む。２つの移動可能なプランジャ部２２０ａ及び２２０ｂは一体構造を有することができ、又は２つの別々の部品として製造され組立てを容易にする好適な方法で互いに連結されることもできる。
【００６８】
変形可能な眼内レンズ挿入システム２１０の具体例において、移動可能なプランジャ２２０は円筒状胴部２１６内に滑ることができるように配置される。具体的にはプランジャガイド２２４は円筒状胴部２１６内に配置され、該プランジャガイド２２４は移動可能なプランジャ２２０を滑り可能に支持するために通路２２６を備える。具体例に示したように、ガイド装置を提供するためにプランジャガイド２２４の通路２２６の内寸は移動可能なプランジャ２２０の外寸より僅かに大きい。さらに、通路２２６の断面形状は、移動可能なプランジャ２２０の断面形状と、同一の形（すなわち互いが合致する形）に作製され、双方間の精密公差の嵌合を高めて滑りの正確さを増すことが望ましい。さらに好ましくは、プランジャガイド２２４の通路２２６と移動可能なプランジャ２２０の断面形状がインターロックして、プランジャガイド２２４に固定された円筒状胴部２１６と移動可能なプランジャ２２０の相対的回転を防止し、さらにまた、変形可能な眼内レンズ挿入システム２１０の操作特性を向上させる。例えば、プランジャガイド２２４の通路２２６と移動可能なプランジャ２２０の断面形状を、図３７に示すように十字（＋）形にして、インターロック配置をもたらすことができる。移動可能なプランジャ２２０’及びプランジャガイド２２４’の別の具体例を図３８Ａに示す。図３８Ａにおいて移動可能なプランジャ部２２０ｂ’及びプランジャガイド２２４’の横断面形状は改良された（＋）を有し、それは一方向にのみの移動を可能にしレンズ注入装置２１２内での移動可能なプランジャ部２２０ｂ’の適切な組立てを確実にする。
【００６９】
図３６に示す具体例において、プランジャガイド２２４は円筒状胴部２１６の一部である。例えば、円筒状胴部２１６は、プランジャガイド２２４を一体装置として含むために射出成形されることができる。あるいは、プランジャガイド２２４を別の部分として作製し、後に円筒状胴部２１６内部に組立てることができる。さらに、具体例に示したように、プランジャガイド２２４を円筒状胴部２１６の一方の端部に配置することができる。しかしながら、プランジャガイド２２４を円筒状胴部２１６内に、円筒状胴部２１６の端部から離れた位置に配置することができる。
【００７０】
移動可能なプランジャ２２０は、操作先端２２２と反対側の端に指先把持装置２２８を備える。把持装置２２８は自由に回転するように移動可能なプランジャ２２０の端に連結されることが好ましいが、しかし非回転型連結もまた利用することができる。
【００７１】
変形可能な眼内レンズ挿入システム２１０の好ましい具体例において、把持装置２２８は本質的に円筒状の形であり、図３６に示すように円筒状胴部の外ねじ２２８ｂと協働する内ねじ２２８ａを含む。把持装置の外表面には、ユーザーの指先でのグリップ性（把持性）を増すために縦溝をつけることができる。
【００７２】
把持装置２２８は、図２に示し且つ上述した変形可能な眼内レンズ挿入装置１０の具体例中の把持装置２８と同じ構造を有することができる。
【００７３】
レンズ注入装置２１２とレンズカートリッジアセンブリ２１４間の固定（ロック）の構造の詳細を説明する。
【００７４】
円筒状胴部２１６の前端は、図４１から図４５に示すように固定部２３０を備える。固定部２３０は円筒状胴部２１６とは別体品として示されているが、しかし一体構造もまた好適である。
【００７５】
固定部２３０は円筒状胴部２１６の前端内に受容される挿入部２３０ａ、及び円錐部２３０ｂを含む。挿入部２３０ａは、図３９から図４１に示すように縦方向のリブ２３２を備え、該リブ２３２は円筒状胴部２１６の前端の溝２３４内に受容され、固定部２３０とレンズ注入装置２１２の円筒状胴部２１６との相対的な回転を防止する。固定部２３０は円筒状胴部２１６に締まりバネ、スナップ連結、接着、音波溶接及び他の好適な結合方法により結合する。
【００７６】
挿入部２３０ａは移動可能なプランジャ２２０の移動可能なプランジャ前部２２０ａを収容するための通路２３６、及びレンズカートリッジアセンブリ２１４を収容するためのレンズ注入装置カートリッジレシーバ２３８を含む。移動可能なプランジャ２２０の移動可能なプランジャ前部２２０ａを収容するためのプランジャガイド２４０は、図４１に示すように、通路２３６とレンズカートリッジレシーバ２３８間に備えられている。
【００７７】
レンズカートリッジアセンブリ２１４と固定部２３０間の固定装置（ロック構造）を図４２から図４５に示す。
【００７８】
円錐部２３０ｂは固定部２３０の前部縁２４４から後方へ変形可能な眼内レンズ挿入システム２１０の縦方向に延びる縦細溝２４２を備える。細溝２４２の長さを、図４４に示すように長さＬＧ１と示す。横細溝２４６は縦長の細溝２４２の後端から延びる。横細溝２４６の長さは固定部２３０のレンズカートリッジレシーバ２３８の内でレンズカートリッジアセンブリ２１４を約９０度（９０°）回転させるのに十分な長さである。回転の角度を、図４５に示すようにＡＧ２と示す。横細溝２４６は、図４４に示すように第１横細溝部２４６ａ及び第２横細溝部２４６ｂを含む。レンズカートリッジアセンブリ２１４のタブを約９０度（９０°）回転し、固定位置（ロック位置）まで完全に回転されたときに確実に固定されるように、第２横細溝部２４６ｂは第１横細溝部２４６ａよりも僅かに幅広である。詳細には、一組の縁部２４８が横細溝２４６内で、第１横細溝部２４６ａと第２横細溝部２４６ｂの間の変遷部により画定される。該一組の縁部２４８は、スナップ嵌め連結をもたらす一組の対向する固定（ロック）タブを提供し、第２横細溝部２４６ｂ内でレンズ注入装置２１２のタブを離脱可能に固定し、レンズカートリッジアセンブリ２１４がレンズ注入装置２１２に対して意図せずに回転するのを効果的に防止する。
【００７９】
レンズカートリッジアセンブリ２１４の詳細を図４６から図４９を参照しながら説明する。
【００８０】
レンズカートリッジアセンブリ２１４は、ノズル部２５２に連結するレンズ受容部２５０、及びレンズ受容部２５０から延びるタブ２５４を含む。レンズカートリッジアセンブリ２１４は好ましくはプラスチックを射出成形した一体構造体である。
【００８１】
レンズ受容部２５０は図４６に示すように縦細溝２５６を備え、縦細溝２５６の壁を通じてレンズ受容通路２５８に通じている。
【００８２】
通路２５８は、一定の断面形状及び寸法の通路部２５８ａにより画定され、図４８に示すように、２５８ａは下方に先細になる又は収歛する通路変遷部２５８ｂに通じ、２５８ｂは下方に先細でノズル部２５２を通る通路２５８ｃに通じる。レンズカートリッジアセンブリ２１４を通るこの通路部の構造は、変形可能な眼内レンズをレンズカートリッジから操作端により押出すときにさらに折り曲げ、レンズカートリッジアセンブリ２１４のノズル部２５２内の、下方に先細の通路２５８ｃを通して眼中の小切開部に入れるための構造である。ノズル部２５２の端部は好ましくは斜端２６０を備える。
【００８３】
レンズカートリッジアセンブリ２１４は、レンズカートリッジアセンブリ２１４を案内し中央に位置づけるための一対のガイド２６２を、レンズ固定部２３０のレンズカートリッジレシーバ２３８内に備えることができる。
【００８４】
（レンズ挿入装置の装填）
初めに変形可能な眼内レンズを縦細溝２５６上に置くことによってレンズカートリッジアセンブリ２１４内に変形可能な眼内レンズを装填する。次いで、変形可能な眼内レンズの中央を、例えばプラスティックの合わせ釘又は他の好適な操作器具を用いてレンズが折り曲げられレンズ受容通路２５８に入るまで下方に押し出す。
【００８５】
変形可能な眼内レンズが完全にレンズカートリッジアセンブリ２１４に装填されると、次にレンズカートリッジアセンブリ２１４はレンズ注入装置２１２の固定部２３０のレンズカートリッジレシーバ２３８に装填される。具体的には、レンズカートリッジアセンブリ２１４の後端部は、固定部２３０のレンズカートリッジレシーバ２３８の中にはめ込まれ案内され、レンズカートリッジアセンブリ２１４のタブ２５４が縦細溝２４２内に受容され、レンズカートリッジアセンブリ２１４のタブ２５４がそれ以上後方へ動くのを止めるように働く第１横細溝部２４６ａの後壁２４６ａに接触するまで、レンズカートリッジアセンブリ２１４を後方に進める。その後、レンズカートリッジアセンブリ２１４のタブ２５４を、レンズカートリッジアセンブリ２１４を回転してタブ２５４が第２横細溝部２４６ｂにはめ込まれるまで、回転方向の一方の側を押すことにより回転し、レンズカートリッジアセンブリ２１４を効果的に固定してレンズ注入装置２１２に対する回転を防ぐ。さらに、移動可能なプランジャ２２０を把持装置２２８により作動して、操作先端２２２をレンズカートリッジアセンブリ２１４内に押し込み、次いで、変形可能な眼内レンズをレンズカートリッジアセンブリ２１４からノズル部を通って眼の中に押し出す。
【図面の簡単な説明】
【００８６】
【図１】本発明に従う変形可能な眼内レンズ挿入システムの好ましい具体例の斜視図である。
【図２】図１に示した変形可能な眼内レンズ挿入システムの縦側断面図である。
【図３】図２に示した変形可能な眼内レンズ挿入システムの円筒状胴部の縦側断面図である。
【図４】図２に示したような、移動可能なプランジャ、ガイド及び円筒状胴部の横断面図であり、移動可能なプランジャのガイド装置を図示する。
【図５】操作用先端を有するプランジャ部の縦側面図である。
【図６】図５に示した方向から見た、プランジャ部の横断面図である。
【図７】図５に示した方向から見た、プランジャ部の横断面図である。
【図８】図５に示した方向から見た、プランジャ部の横断面図である。
【図９】図５に示したプランジャ部の操作用先端の端部立面図である。
【図１０】図５に示したプランジャ部に連結するプランジャ部の縦側面図である。
【図１１】図１０に示したプランジャ部の端部立面図である。
【図１２】図１０に示した方向から見た、プランジャ部の横断面図である。
【図１３】図１１に示した方向から見た、プランジャ部の横断面図である。
【図１４】図２に示した、プランジャに連結するように貫通された把持装置の横断面図である。
【図１５】図１４に示した貫通された把持装置の側面図である。
【図１６】図１４に示した方向から見た、貫通された把持装置の端部立面図である。
【図１７】本発明に従う好ましいレンズカートリッジアセンブリの透視図である。
【図１８】図１７に示した好ましいレンズカートリッジアセンブリのレンズ収容部の透視図である。
【図１９】図１８に示したレンズ収容部の縦側立面図である。
【図２０】図１８に示したレンズ収容部の上面図である。
【図２１】図１９に示した方向から見た、レンズ収容部の横断面図である。
【図２２】図１９に示した方向から見た、レンズ収容部の横断面図である。
【図２３】図１９に示した方向から見た、レンズ収容部の端部の先端の立面図である。
【図２４】図１７に示した好ましいレンズカートリッジアセンブリの筒部の斜視図である。
【図２５】図１７に示した好ましいレンズカートリッジのもう一つの斜視図である。
【図２５Ａ】レンズカートリッジアセンブリの突起がレンズカートリッジレシーバ内の細溝と協働し、双方の相対的回転を防止することを示す横断面図である。
【図２６】図２４に示した筒部の縦断面図である。
【図２７】筒部の内側に設置された突起のガイド表面の陰影を伴う、図２４に示した筒部の縦側面図である。
【図２８】図２７に示した方向から見た、筒部の端部立面図である。
【図２９】図２７に示した筒部の端の一部分解の立面図である。
【図３０】一対の傾斜した留め具を備え、レンズ収容部壁の縦溝を示したレンズ収容部のもう一つの透視図である。
【図３１】レンズカートリッジ内のレンズをガイドする表面の詳細な構造を明らかにする、図１７に示した好ましいレンズカートリッジの端部立面図である。
【図３２】本発明に従うレンズ注入装置のもう一つの具体例の縦断面図である。
【図３３】レンズカートリッジを装置内に装填した変形可能な眼内レンズ挿入システムのもう一つの好ましい具体例の斜視図である。
【図３４】レンズカートリッジを装置から離脱させた変形可能な眼内レンズ挿入システムの分解斜視図である。
【図３５】図３３に示した変形可能な眼内レンズ挿入システムの側面図である。
【図３６】図３５に示した変形可能な眼内レンズ挿入システムの縦側断面図である。
【図３７】図３５で示した方向から見た、変形可能な眼内レンズ挿入システムの横断面図である。
【図３８】図３５に示した方向から見た、変形可能な眼内レンズ挿入システムの横断面図である。
【図３８Ａ】もう一つの変形可能な眼内レンズ挿入システムの横断面図であって、一方向のみの作用を可能にする構造を有する移動可能なプランジャとプランジャガイドの調和のとれた断面の形を示す。
【図３９】図３５に示した方向から見た、変形可能な眼内レンズ挿入システムの横断面図である。
【図４０】図３５に示した方向から見た、変形可能な眼内レンズ挿入システムの横断面図である。
【図４１】図３６に示した変形可能な眼内レンズ挿入システムの縦側断面図の一部分解組立図である。
【図４２】レンズ注入装置の固定部に完全に差し込まれたレンズカートリッジの一部斜視図である。
【図４３】図４２に示した固定部の縦側断面図である。
【図４４】図４３に示した固定部の上面図である。
【図４５】図４３に示した固定部の端部立面図である。
【図４６】図３３及び３４に示したレンズ注入装置と共に使用するレンズカートリッジの斜視図である。
【図４７】図４６に示したレンズカートリッジの端部立面図である。
【図４８】図４６に示したレンズカートリッジの背部端の立面図である。
【図４９】図４６に示したレンズカートリッジの側面図である。
【図１】
2006341110.tif 000003
【図２】
2006341110.tif 000004
【図３】
2006341110.tif 000005
【図４】
2006341110.tif 000006
【図５】
2006341110.tif 000007
【図６】
2006341110.tif 000008
【図７】
2006341110.tif 000009
【図８】
2006341110.tif 000010
【図９】
2006341110.tif 000011
【図１０】
2006341110.tif 000012
【図１１】
2006341110.tif 000013
【図１２】
2006341110.tif 000014
【図１３】
2006341110.tif 000015
【図１４】
2006341110.tif 000016
【図１５】
2006341110.tif 000017
【図１６】
2006341110.tif 000018
【図１７】
2006341110.tif 000019
【図１８】
2006341110.tif 000020
【図１９】
2006341110.tif 000021
【図２０】
2006341110.tif 000022
【図２１】
2006341110.tif 000023
【図２２】
2006341110.tif 000024
【図２３】
2006341110.tif 000025
【図２４】
2006341110.tif 000026
【図２５】
2006341110.tif 000027
【図２５Ａ】
2006341110.tif 000028
【図２６】
2006341110.tif 000029
【図２７】
2006341110.tif 000030
【図２８】
2006341110.tif 000031
【図２９】
2006341110.tif 000032
【図３０】
2006341110.tif 000033
【図３１】
2006341110.tif 000034
【図３２】
2006341110.tif 000035
【図３３】
2006341110.tif 000036
【図３４】
2006341110.tif 000037
【図３５】
2006341110.tif 000038
【図３６】
2006341110.tif 000039
【図３７】
2006341110.tif 000040
【図３８】
2006341110.tif 000041
【図３８Ａ】
2006341110.tif 000042
【図３９】
2006341110.tif 000043
【図４０】
2006341110.tif 000044
【図４１】
2006341110.tif 000045
【図４２】
2006341110.tif 000046
【図４３】
2006341110.tif 000047
【図４４】
2006341110.tif 000048
【図４５】
2006341110.tif 000049
【図４６】
2006341110.tif 000050
【図４７】
2006341110.tif 000051
【図４８】
2006341110.tif 000052
【図４９】
2006341110.tif 000053